(57)【要約】【課題】本発明の実施形態は群管理システムのエレベータの呼び登録制御装置を提供することを目的とする。【解決手段】本発明の実施形態に係るエレベータの呼び登録制御装置は、複数台のエレベータを運行制御する群管理システムにおいて、乗場に設けられる乗りかごの呼び登録を行う乗場呼び登録装置３からの入力信号を受け取ってからの経過時間を計測する経過時間計測部８と、経過時間計測部８によって計測された所定時間の間に乗場呼び登録装置３からの入力信号の受信回数をカウントする受信回数計測部９と、乗場呼び登録装置３は終端階以外の乗場においては上方向釦及び下方向ボタンを有し、乗場呼び登録装置３からの入力信号が上方向ボタン若しくは下方向釦のいずれかからの入力信号かを判断する入力信号判断部６とを備える。【選択図】図１
2015037989.tif 000002
【特許請求の範囲】
【請求項１】
複数台のエレベータを運行制御する群管理システムにおいて、
乗場に設けられる乗りかごの呼び登録を行う乗場呼び登録装置からの入力信号を受け取ってからの経過時間を計測する経過時間計測部と、
前記経過時間計測部によって計測された所定時間の間に前記乗場呼び登録装置からの入力信号の受信回数をカウントする受信回数計測部と、
前記乗場呼び登録装置は終端階以外の乗場においては上方向釦及び下方向ボタンを有し、前記乗場呼び登録装置からの入力信号が前記上方向ボタン若しくは前記下方向釦のいずれかからの入力信号かを判断する入力信号判断部と、
を備え、
前記経過時間計測部によって計測された所定時間内に、前記受信回数計測部によってカウントされた前記入力信号の受信回数が所定回数に達し、かつ前記入力信号判断部によって判断された前記上方向釦及び前記下方向釦からの入力信号の入力順及び入力回数の組み合わせに応じて、前記複数台のエレベータの中から任意の号機を前記呼び登録を行った階床へ割り当てることを特徴とするエレベータの呼び登録制御装置。
【請求項２】
前記入力信号判断部は、上方向の呼び登録を号機データ１、下方向の呼び登録を号機データ０として判断し、前記経過時間計測部によって計測される所定時間の間に前記受信回数計測部によって計測される所定回数分の号機データの組み合わせから前記複数台のエレベータの中から任意の号機を前記呼び登録を行った階床へ割り当てることを特徴とする請求項１に記載のエレベータの呼び登録制御装置。
【請求項３】
前記経過時間計測部によって計測された所定時間内に、前記受信回数計測部によってカウントされた前記入力信号の受信回数が所定回数に達し、かつ前記入力信号判断部によって判断された前記上方向釦及び前記下方向釦からの入力信号の入力順及び入力回数の組み合わせに応じて、前記複数台のエレベータの中から任意の号機を任意の時間経過後に前記呼び登録を行った階床に割り当てることを特徴とする請求項１に記載のエレベータの呼び登録制御装置。
【請求項４】
複数台のエレベータを運行制御する群管理システムにおいて、
乗場に設けられる乗りかごの呼び登録を行う乗場呼び登録装置からの入力信号を受け取ってからの経過時間を計測する経過時間計測部と、
前記経過時間計測部によって計測された所定時間の間に前記乗場呼び登録装置からの入力信号の受信回数をカウントする受信回数計測部と、
前記乗場呼び登録装置は終端階以外の乗場においては上方向釦及び下方向ボタンを有し、前記乗場呼び登録装置からの入力信号が前記上方向ボタン若しくは前記下方向釦のいずれかからの入力信号かを判断する入力信号判断部と、
を備え、
前記経過時間計測部によって計測された所定時間内に、前記受信回数計測部によってカウントされた前記入力信号の受信回数が所定回数に達し、かつ前記入力信号判断部によって判断された前記上方向釦及び前記下方向釦からの入力信号の入力順及び入力回数の組み合わせに応じて、前記複数台のエレベータの中から任意の号機を任意の階床へ割り当てることを特徴とするエレベータの呼び登録制御装置。
【請求項５】
複数の運転モードを有するエレベータシステムにおいて、
乗場に設けられる乗りかごの呼び登録を行う乗場呼び登録装置からの入力信号を受け取ってからの経過時間を計測する経過時間計測部と、
前記経過時間計測部によって計測された所定時間の間に前記乗場呼び登録装置からの入力信号の受信回数をカウントする受信回数計測部と、
前記乗場呼び登録装置は終端階以外の乗場においては上方向釦及び下方向ボタンを有し、前記乗場呼び登録装置からの入力信号が前記上方向ボタン若しくは前記下方向釦のいずれかからの入力信号かを判断する入力信号判断部と、
を備え、
前記経過時間計測部によって計測された所定時間内に、前記受信回数計測部によってカウントされた前記入力信号の受信回数が所定回数に達し、かつ前記入力信号判断部によって判断された前記上方向釦及び前記下方向釦からの入力信号の入力順及び入力回数の組み合わせに応じて、前記エレベータを前記複数の運転モードの中から任意の運転モードに切り替えることを特徴とするエレベータの呼び登録制御装置。
【発明の詳細な説明】
【技術分野】
【０００１】
本発明の実施形態は、群管理システムのエレベータの呼び登録制御装置に関する。
【背景技術】
【０００２】
群管理システムを採用していないエレベータにおいては、各階床乗場に設けられる乗場呼び登録装置がエレベータの各号機に対応して設置されている。具体的にはこの場合、各乗場呼び登録装置とエレベータ号機とが対応していることによって、利用者は意図的に乗車するエレベータ号機を選択できる。
【０００３】
一方、群管理システムを採用するエレベータにおいては、各階床における乗場呼びは各号機と連動しておらず、乗場呼び登録がなされた場合に、その乗場呼びに対して割り当てるべき最適号機を選択して当該呼び登録に応答させている。
【先行技術文献】
【特許文献】
【０００４】
【特許文献１】特開平９−１５６８４２号公報
【発明の概要】
【発明が解決しようとする課題】
【０００５】
群管理システムを採用しないエレベータを保守点検しようとする際、既述のように乗場呼び登録装置とエレベータの各号機とが対応していることによって、保守員が保守点検しようとする号機を任意に選択できる。これにより選択された号機が保守員のいる階床に呼びつけることができる。
【０００６】
一方、群管理システムを採用するエレベータを保守点検しようとする際、一般利用者の利便性を低下させないように、通常サービスを継続しながら点検対象号機を呼ぶようになっている。
【０００７】
すなわち、点検対象とする号機が当該乗場呼びに割り当てられるまで繰り返し乗場呼び登録を行うことになる。この場合、通常サービスを継続していることに伴い、点検対象号機が保守員のいる呼び登録階に割り当てられるまで、点検対象外の他の号機が無駄に割当られることになり、サービス性が著しく低下することになる。
【０００８】
そこで、本発明の実施形態に係る発明においては、群管理システムを採用しているエレベータであっても、対象外号機の無駄な応答を防ぐとともに点検対象号機を保守員の意図的に呼ぶことができるエレベータの呼び登録制御装置を提供することを目的とする。
【課題を解決するための手段】
【０００９】
上記目的を達成するために、本発明の実施形態に係るエレベータの呼び登録制御装置は、複数台のエレベータを運行制御する群管理システムにおいて、乗場に設けられる乗りかごの呼び登録を行う乗場呼び登録装置からの入力信号を受け取ってからの経過時間を計測する経過時間計測部と、前記経過時間計測部によって計測された所定時間の間に前記乗場呼び登録装置からの入力信号の受信回数をカウントする受信回数計測部と、前記乗場呼び登録装置は終端階以外の乗場においては上方向釦及び下方向ボタンを有し、前記乗場呼び登録装置からの入力信号が前記上方向ボタン若しくは前記下方向釦のいずれかからの入力信号かを判断する入力信号判断部と、を備え、前記経過時間計測部によって計測された所定時間内に、前記受信回数計測部によってカウントされた前記入力信号の受信回数が所定回数に達し、かつ前記入力信号判断部によって判断された前記上方向釦及び前記下方向釦からの入力信号の入力順及び入力回数の組み合わせに応じて、前記複数台のエレベータの中から任意の号機を前記呼び登録を行った階床へ割り当てることを特徴とする。
【図面の簡単な説明】
【００１０】
【図１】本発明の第１の実施形態に係るエレベータの呼び登録制御装置の構成を示すブロック図である。
【図２】本発明の第１の実施形態に係る点検号機の呼び登録を示すフローチャートである。
【図３】本発明の第４の実施形態に係るエレベータの呼び登録の手順を示すフローチャートである。
【発明を実施するための形態】
【００１１】
以下、本発明の実施形態について図面を参照して説明する。
【００１２】
（第１の実施形態）
図１は、本発明の第１の実施形態に係るエレベータの呼び登録制御装置の構成を示すブロック図である。図２は、本発明の第１の実施形態に係る点検号機の呼び登録を示すフローチャートである。まず、群管理システムを採用しているエレベータの従来の点検作業の方法について説明する。
【００１３】
群管理システムを採用するエレベータにおいて、点検対象となる号機の点検を行う際には、各かご内に設けられている点検スイッチを操作することによって、エレベータの運行を通常運転モードから点検運転モードに切り替わるようになっている。点検運転モードに切り替わると、点検対象号機は群管理制御の対象号機から外れ、一般利用者に点検号機の利用をさせないように制御している。
【００１４】
上記のように点検運転モードに入るためには点検対象とするかごを保守員等のいる階床にて乗場呼び登録を行い、点検対象号機が着床した後、そのかごに乗り込み点検スイッチを操作する必要があるが、この場合の問題点として、群管理制御を行っているエレベータでは、保守員が乗場呼び登録をした際に、必ずしも点検対象とする号機が当該乗場呼びに応答するとは限らず、点検対象外の乗りかごが割り当てられてしまう場合も多い。
【００１５】
これはつまり、点検対象とする号機が保守員による乗場呼び登録に割り当てられるまでは、他の号機が応答することになり、エレベータの無駄な停止回数が増えてしまうことにつながる。これによって、一般利用者の利便性が低下してしまうことになる。
【００１６】
そこで、本発明の実施形態では点検対象外の号機の無駄な割当を防ぐことができ、点検対象となる号機の割当を行うことができるエレベータの呼び登録制御装置について詳細に説明する。なお、本実施形態においては、乗りかご５台を有する５台群管理の場合を想定して説明する。
【００１７】
本実施形態に係るエレベータの呼び登録制御装置は、図１に示すように５台の乗りかご１ａ〜１eが群管理制御されている。なお、特に各乗りかごを特定する必要が無い場合には、単に乗りかご１と表現する。
【００１８】
乗りかご１ａ〜１eには単体制御部２ａ〜２eが接続されており、単体制御部２ａ〜２eはそれぞれ対応する号機である乗りかご１ａ〜１eを制御する。なお、乗りかご１と同様に、各単体制御部２ａ〜２eについて特定する必要が無い場合には、単に単体制御部２と表現する。
【００１９】
図示しない乗場には乗場呼び登録釦３が各階に備えられている。乗場呼び登録釦３は、終端階においては、上方向呼び釦若しくは下方向呼び釦のみを有し、それ以外の中間階においては上下呼び釦それぞれを有している。なお、本実施形態においては、上方向呼びをＵＰ呼び、下方向呼びをＤＮ呼びともいう。
【００２０】
上述の単体制御部２および乗場呼び登録釦３はそれぞれ群管理制御部４に接続されている。群管理制御部４は、乗場にいるエレベータ利用者が乗場呼び登録釦３の操作を行うことにより、エレベータの呼びを登録した場合、乗りかご２ａ〜２eのうちから最適なエレベータ号機を選択し、利用者による乗場呼び登録があった階床へ応答させる割当制御を行う。
【００２１】
本実施形態に係る群管理制御部４には、乗場呼び登録釦３からの信号を受け取り、乗場呼びを受け付ける乗場呼び登録部５、乗場呼び登録釦３からの信号が上方向呼びか下方向呼びかを判断する信号入力判断部６が備えられている。
【００２２】
また、乗場呼び登録部５には、乗場呼び登録釦３から受け取った信号に基づいて、最適な割当号機を選定する割当制御部７が備えられている。割当制御部７は各単体制御部２に接続されている。
【００２３】
また、乗場呼び登録部５には乗場呼び登録釦３からの最初の入力信号が入力されてからの経過時間を計測する経過時間計測部８及び乗場呼び登録釦３からの入力信号の受信回数をカウントする受信回数計測部９が接続されている。この経過時間計測部８及び受信回数計測部９のそれぞれからの信号に基づいて、点検対象号機を判定する対象号機判定部１０が接続されている。この対象号機判定部１０は割当制御部７にも接続されている。
【００２４】
すなわち、上記のように本実施形態に係る群管理制御部４は、乗場呼び登録部５、信号入力判定部６、割当制御部７、経過時間計測部８、受信回数計測部９及び対象号機判定部１０を有している。
【００２５】
次に、本実施形態における通常運転モードから点検運転モードに切り替えるための点検号機の選定について図２のフローチャートを用いて説明する。なお、本実施形態においては、３秒以内に乗場呼び登録釦３が４回押された場合に、５台のエレベータ号機の中から点検作業を行いたい対象号機を応答させる制御について説明する。
【００２６】
まず、エレベータの運転モードを点検運転モードに切り替えようとする保守員は、終端階以外の任意の階床にて、乗場呼び登録釦３を操作する。ここで乗場呼び登録釦３の操作とは、ＵＰ呼びもしくはＤＮ呼びを行うこという。
【００２７】
乗場呼び登録釦３の操作により、呼び登録信号は乗場呼び登録部５に入力、登録される。その後、信号入力判断部６によって、登録された呼び信号がＵＰ呼びかＤＮ呼びかが判断される。
【００２８】
また、乗場呼び登録部５に呼び信号が登録された後、経過時間測定部８によって最初の乗場呼び登録がなされてからの経過時間を計測する。また、受信回数計測部９によって、乗場呼び登録がなされた回数をカウントする。
【００２９】
そして、対象号機判定部１０は、経過時間計測部８及び受信回数計測部９からの情報に基づいて、所定時間内にＵＰ呼び、ＤＮ呼びがそれぞれ何回押されたかを判断する。本実施形態においては、既述のように３秒以内に４回乗場呼び登録なされた場合に点検対象号機を応答させる制御を行うため、本実施形態においては、「ＤＮ呼び→ＵＰ呼び→ＤＮ呼び→ＵＰ呼び」と入力されたものとする。
【００３０】
また、本実施形態においては、ＵＰ呼びが押された場合には信号入力判断部６は「呼びデータ＝１」として呼び登録信号を判定する。一方、ＤＮ呼びが押された場合には信号入力判断部６は「呼びデータ＝０」として呼び信号を判定する。そして、判定された呼びデータの組み合わせによって、点検対象号機を定めるものとする。具体的には、入力された呼び信号の呼びデータが０または１からなる４ケタの数値を２進法データとして記録されると、その４ケタの数値を１０進法に変換することによって、その変換後の数値に基づいて、対象号機判定部１０が点検対象号機を判定する。
【００３１】
以下、図Ｘのフローチャートに従ってより詳細に説明する。
【００３２】
まず、最初に保守員によってＤＮ呼びがなされると、呼び登録信号が乗場呼び登録部５に入力、登録される。そして信号入力判断部６は登録された乗場呼び登録がＵＰ呼びかＤＮ呼びかを判断する（Ｓ１、Ｓ２）。
【００３３】
ここでは保守員がＤＮ呼び登録を行っているため、ＵＰ呼びではなく（Ｓ１のＮＯ）、ＤＮ呼びとして認識する（Ｓ２のＹＥＳ）。そして、信号入力判断部６は、ＤＮ呼び＝号機データ０として認識する（Ｓ３）。また、呼び登録が行われた回数を記憶するための受信回数計測部９にて回数カウントを１つＵＰする（Ｓ４）。
【００３４】
そして、経過時間計測部８によって呼び登録がなされてから３秒が経過したかを判断する（Ｓ５）。３秒経過しているものと判断した場合（Ｓ５のＹＥＳ）、回数カウントをクリアし（Ｓ６）、号機データもクリアする（Ｓ７）。
【００３５】
その後、登録された呼び登録を通常呼びとして、乗場呼び登録部５に登録され（Ｓ８）、通常呼び信号を割当制御部７に出力する。そして割当制御部７は当該呼び登録に応答する最適なエレベータ号機を選定し、割当制御を行う。
【００３６】
一方、経過時間計測部８によって計測された時間が呼び登録がなされてから３秒以内である場合（Ｓ５のＮＯ）、受信回数計測部９にてカウントされている回数が４回以内か否かを判断する（Ｓ９）。３秒以内に４回より多い回数が呼び登録として登録されている場合には、保守員による号機選定動作ではないものとして判断し、ステップ１に戻る（Ｓ９のＮＯ）。
【００３７】
一方、受信回数が４回以内である場合（Ｓ９のＹＥＳ）、その回数が１回目であるかを判断する（Ｓ１０）。１回目であると判断した場合（Ｓ１０のＹＥＳ）、経過時間計測部８によってカウントされていたタイマをクリアにし、改めて時間計測を開始する（Ｓ１１）。
【００３８】
そして、対象号機判定部１０は４bit構成の号機データに「号機データ＝呼びデータ×８」のデータを入力する（Ｓ１２）。ここでは呼びデータ＝０のため、１回目の号機データの入力は最上位bitに０を入力することになる。これは既述のように４bit構成で示された２進法数値を１０進法数値に置き換えた場合の数値を対象号機として選定するものであるが、２進法の呼びデータ＝０に８を掛けることにより、最上位bitに値をシフトすることができる。
【００３９】
フローチャートに戻り、ステップ１２にて「号機データ＝呼びデータ×８」のデータを入力した後は、再びステップ１に戻る。
【００４０】
次に保守員がＵＰ呼び登録を行った場合（Ｓ１のＹＥＳ）、信号入力判断部６は、ＵＰ呼び＝号機データ１として認識する（Ｓ１３）。その後ステップ１０までは同様の処理を行う。ここでは、受信回数計測部９にてカウントされている回数が２であるため、ステップ１０にてＮＯを選択し、受信回数が２であるか否かを判断する（Ｓ１４）。
【００４１】
２回目であると判断した場合（Ｓ１４のＹＥＳ）、対象号機判定部１０は４bit構成の号機データに「号機データ＝号機データ＋呼びデータ×４」のデータを入力する（Ｓ１５）。これにより、２回目の呼びデータ＝１を４bit構成のデータに対して３bit左シフトしたデータを加算することになる。
【００４２】
続けて保守員がＤＮ呼び登録を行った場合、信号入力判断部６は、ＤＮ呼び＝号機データ０として認識する（Ｓ３）。その後、ステップ１４まで同様の処理を行う。ここでは、受信回数計測部９にてカウントされている回数が３であるため、ステップ１４にてＮＯを選択し、受信回数が３であるか否かを判断する（Ｓ１６）。
【００４３】
３回目であると判断した場合（Ｓ１６のＹＥＳ）、対象号機判定部１０は４bit構成の号機データに「号機データ＝号機データ＋呼びデータ×４」のデータを入力する（Ｓ１７）。これにより、３回目の呼びデータ＝０を４bit構成のデータに対して２bit左シフトしたデータを加算することになる。
【００４４】
次に保守員がＵＰ呼び登録を行った場合、信号入力判断部６は、ＵＰ呼び＝号機データ１として認識する（Ｓ１３）。その後、ステップ１６までは同様の処理を行う。ここでは、受信回数計測部９にてカウントされている回数が４であるため、ステップ１６にてＮＯを選択する。これにより、対象号機判定部１０は４bit構成の号機データに「号機データ＝号機データ＋呼びデータ」を入力する（Ｓ１８）。これにより、４回目の呼びデータ＝１を４bit構成のデータに加算することになり、結果として４bit構成の号機データが生成される。
【００４５】
この生成された号機データを点検対象号機として登録し（Ｓ１９）、対象号機判定部１０は割当制御部７に出力する。そして、割当制御部７は登録された号機データに基づき、点検対象号機の呼び登録制御を行う（Ｓ２０）。
【００４６】
すなわち、本実施形態において、保守員は「ＤＮ呼び→ＵＰ呼び→ＤＮ呼び→ＵＰ呼び」と呼び登録を行うものとしたので、号機データ＝０１０１（２進法）となる。これを１０進法に置き換えると、号機データ＝５（１０進法）となり、点検対象号機を５号機として指定したこととなる。
【００４７】
以上より、本実施形態に係るエレベータの呼び登録制御装置によれば、点検対象号機を応答させる際に、従来のように不要な呼び登録を複数回繰り返すことがなくなり、保守員にとってもエレベータ利用者にとっても利便性が向上することになる。
【００４８】
なお、本実施形態においては、点検対象号機を指定する際、最初の呼び登録があってから３秒以内に４回呼び登録を行うことによって対象号機を特定するものとしたが、これに限らない。つまり、時間については、任意の時間制限を設定してもよく、さらに呼び登録回数も任意に設定できるものとする。例えば、４回呼び登録を行う保実施形態においては、号機データが４bit構成であることにより、１５号機まで指定することが可能となる。このように必要に応じて２bit構成であったり、５bit構成であったりするようにしてもよい。
【００４９】
（第２の実施形態）
次に第２の実施形態について説明する。本実施形態においては、第１の実施形態にて説明した４bit構成の号機データに、さらに４bit構成の時間データを付加するものである。本実施形態においては５秒以内に８回呼び登録を行うことにより、点検対象号機の選定及び応答タイミングの指定を行うものである。
【００５０】
基本的には第１の実施形態と同様の処理を行うが、本実施形態では８bit＝号機データ４bit＋時間データ４bitを入力するものとする。最初の４回の呼び登録により、号機を指定し、残りの４回の登録により、応答時間を指定する。応答時間の指定は、号機の指定と同様の２進法で示す４ケタの数値を１０進法に置き換えることにより時間を指定するものとする。
【００５１】
本実施形態では、時間データの最小単位を「分」として設定する。例えば、号機データ＝０１０１、時間データ＝１０１０だとすると、呼び登録がなされた階床に、５号機を１０分後に応答させるものとする。つまり、本実施形態においては予約配車を行うことができるようになる。
【００５２】
予約配車による応答時間については、時間データを４bitとしていることにより、１〜１５分後までの設定が可能となる。
【００５３】
すなわち、上述のように本発明の第２の実施形態によれば、指定した号機のエレベータを、任意の時間で予約配車することができることから、保守員が別件の要件を有する場合に希望する時間に対象号機を応答させることができる。
【００５４】
なお、本実施形態においては５秒以内に８回の呼び登録を行うものとしたが、これに限らず、群管理を行う号機の台数や保守員の保守員の作業性を鑑みた設定時間及び設定回数としてもよい。
【００５５】
（第３の実施形態）
次に第３の実施形態について説明する。本実施形態においては、第１の実施形態と同様に４bit構成の号機データに、８bit構成の階床データを付加したものである。第１の実施形態においては、３秒以内に４bit分である呼び登録を４回行うことにより号機データを生成したが、第３の実施形態においては１０秒以内に４bit＋８bit＝１２bit分の呼び登録を行うものとする。これにより、点検対象号機の指定と応答する階床を指定することができるようにしたものである。
【００５６】
すなわち、４bitの号機データを入力した後、８bit分の階床データを登録することにより、８bitの２進法データを１０進法データに変換した値を応答すべき階床として登録することにより、保守員は任意の応答階を指定することができる。
【００５７】
なお、本実施形態においては１０秒以内に１２回の呼び登録を行うものとしたが、これに限らず、群管理を行う号機の台数や、対象物件の階床数によって、設定時間及び設定回数を変更しても構わない。
【００５８】
（第４の実施形態）
次に第４の実施形態について説明する。図３は本発明の第４の実施形態に係るエレベータの呼び登録の手順を示すフローチャートである。
【００５９】
本実施形態においては、第１の実施形態において号機データに代わり、管制運転データの入力を行うものとする。図３においては、図２に示すフローチャートとステップ１２以降で多少の相違点がある。第１の実施形態と同様の箇所については説明を省略するものとし、相違する箇所について以下説明する。
【００６０】
図３におけるステップ１２、１５、１７、１８にあるように本実施形態においては第１の実施形態で説明した「号機データ」に関して、「管制運転データ」として利用するものである。管制運転データの算出は第１の実施形態と同様であり、本実施形態においては、この管制運転データに応じた管制運転を行う制御とするものである。
【００６１】
例えば、保守員が３秒以内に「ＤＮ呼び→ＤＮ呼び→ＤＮ呼び→ＵＰ呼び」のように呼び登録を行った場合、既述の方法により管制運転データ＝１となる。つまり、管制運転データ＝１の場合（Ｓ２１）、停電時に動作する停電管制運転制御に移行することとなる（Ｓ２２）。
【００６２】
このような制御を行うことにより、対象となる号機または全ての号機が決められたオペレーションに従って管制運転に移行することとなる。このように本実施形態によれば、停電管制運転の点検を行う際に、従来のように電源をカットして停電状態を発生させた後に停電管制運転の点検を行う必要がなく、乗場呼び登録操作のみで、任意の管制運転に移行させることができる。
【００６３】
また、同様に保守員の呼び登録に応じて、管制運転データ＝２（Ｓ２３）や管制運転データ＝３（Ｓ２５）とした場合にそれぞれ、地震管制運転（Ｓ２４）、火災管制運転（Ｓ２６）に移行することができる。これにより、エレベータの制御装置に対して、従来行っていた「地震の信号」及び「火災の信号」の入力を行うことなく、所定の管制運転に移行させることができる。
【符号の説明】
【００６４】
１…乗りかご
２…単体制御部
３…乗場呼び登録釦
４…群管理制御部
５…乗場呼び登録部
６…信号入力判断部
７…割当制御部
８…経過時間計測部
９…受信回数計測部
１０…対象号機判定部
【図１】
2015037989.tif 000003
【図２】
2015037989.tif 000004
【図３】
2015037989.tif 000005